(57)【要約】【課題】  道具を使用することなく容易に分解でき、しかも強度を維持して重量物の収容も可能とした分解可能な段ボール箱を提供する。【解決手段】  段ボール箱を構成する各面板を折曲げ線６ｃに沿って切り離して分解できるようにした分解可能な段ボール箱において、第１の切れ目６ａを前記折曲げ線６ｃに沿って所定間隔をおいて複数形成し、各第１の切れ目６ａの同じ側の片端部に折曲げ線６ｃに対して所定角度に傾斜する第２の切れ目６ｂを第１の切れ目６ａと連通するように形成する。第２の切れ目６ｂの折曲げ線６ｃ側の角度θは折曲げ線６ｃに対して２０〜９０°の範囲、第１の切れ目６ａ間の間隔Ｌ２は３〜１０ｍｍの範囲が望ましい。【選択図】図２
0003140794.tif 000002
【実用新案登録請求の範囲】
【請求項１】
段ボール箱を構成する各面板を折曲げ線に沿って切り離して分解できるようにした分解可能な段ボール箱において、第１の切れ目を前記折曲げ線に沿って所定間隔をおいて複数形成し、各第１の切れ目の同じ側の片端部に折曲げ線に対して所定角度に傾斜する第２の切れ目を第１の切れ目と連通するように形成したことを特徴とする、分解可能な段ボール箱。
【請求項２】
第２の切れ目の折曲げ線側の角度が折曲げ線に対して２０〜９０°の範囲で、第１の切れ目間の間隔が３〜１０ｍｍの範囲である、請求項１記載の分解可能な段ボール箱。
【考案の詳細な説明】
【技術分野】
【０００１】
本考案は、容易に分解できる段ボール箱に関する。
【背景技術】
【０００２】
従来、段ボール箱の使用後の処分は、外フラップと内フラップを開き、対向する側板同士を重ね合わせるように折り畳んで偏平な形状にして処分している。また、コンパクトに折り畳むのが困難な場合は、各面板を折曲げ線に沿って切り離して処分している。この切り離しにはハサミやカッターを使用するが、ハサミは切れ難く、カッターは怪我をする恐れがあった。また、道具が用意できない場合は手で破断しており、労力を伴うものであった。
【０００３】
そこで、前記の問題を解決した段ボール箱が特許文献１で提案されている。この技術は、面板の所要箇所にミシン目を形成しており、処分時にミシン目に沿って複数枚に切り離すことで、道具を使用することなく容易に分解処分できるようにしている。しかし、ミシン目は切れ目の間隔が小さいから強度が不足し、重量物を収容すると破損し易いという問題があった。
【特許文献１】特開２００４−１８２３２８号公報
【考案の開示】
【考案が解決しようとする課題】
【０００４】
本考案が解決しようとする課題は、従来のこれらの問題点を解消し、道具を使用することなく容易に分解でき、しかも強度を維持して重量物の収容も可能とした分解可能な段ボール箱を提供することにある。
【課題を解決するための手段】
【０００５】
かかる課題を解決した本考案の構成は、
１）  段ボール箱を構成する各面板を折曲げ線に沿って切り離して分解できるようにした分解可能な段ボール箱において、第１の切れ目を前記折曲げ線に沿って所定間隔をおいて複数形成し、各第１の切れ目の同じ側の片端部に折曲げ線に対して所定角度に傾斜する第２の切れ目を第１の切れ目と連通するように形成したことを特徴とする、分解可能な段ボール箱
２）  第２の切れ目の折曲げ線側の角度が折曲げ線に対して２０〜９０°の範囲で、第１の切れ目間の間隔が３〜１０ｍｍの範囲である、前記１）記載の分解可能な段ボール箱
にある。
【考案の効果】
【０００６】
本考案によれば、第２の切れ目を有する方向から切り離す場合は、最初の折曲げ線が破断するとその折曲げ線と連続する第１の切れ目に移行し、次の折曲げ線が破断するとその折曲げ線と連続する次の第１の切れ目に移行する。したがって、常に折曲げ線に沿った切り離しができるから、第１の切れ目間の間隔が従来のミシン目の切れ目間の間隔より大きくても多少の力で容易に切り離すことができる。
【０００７】
前記とは逆に、第２の切れ目とは反対する方向から切り離す場合は、最初の折曲げ線が破断してその折曲げ線と連続する第１の切れ目に移行すると、その第１の切れ目と連通している斜めの第２の切れ目に移行し、その第２の切れ目の終端の先には折曲げ線や次の第１の切れ目は存在しない。したがって、そのまま切り離そうとすると切れ目の無い領域を無理に破断することになり、折曲げ線に沿った切り離しが困難となる。
【０００８】
このように、一方向からの切り離しのみを容易にしたから、段ボール箱として使用する際は、第１の切れ目間の大きい間隔により強度を保持して重量物を支障なく収容でき、処分する際は、切り離し易い方向から切り離すことで道具を使用することなく容易に分解できる。また、使用中に折曲げ線の部分に従来のミシン目では破損する程の荷重が作用しても、破断しようとする方向が切り離し難い方向であれば破断の進行が抑制され、段ボール箱の破損を低減できる。
【考案を実施するための最良の形態】
【０００９】
本考案では、第２の切れ目の折曲げ線側の角度は折曲げ線に対して２０〜９０°の範囲が望ましい。２０°以下では第２の切れ目の端部と隣接する第１の切れ目の端部との距離が小さくなり、第２の切れ目とは反対する方向から切り離す場合、第２の切れ目の終端から次の第１の切れ目に移行し易くなり、両方向からの切り離しが容易となって段ボール箱の強度を維持できない。９０°以上では逆に第２の切れ目の端部と隣接する第１の切れ目の端部との距離が大きくなり、第２の切れ目とは反対する方向から切り離す場合、第１の切れ目の終端から第２の切れ目に移行し難くなって次の第１の切れ目に移行し易くなり、両方向からの切り離しが容易となって段ボール箱の強度を維持できない。
【００１０】
第１の切れ目間の間隔としては３〜１０ｍｍの範囲が実用的で、３ｍｍ以下では段ボール箱としての強度が不足し、１０ｍｍ以上では手による切り離しが困難となる。以下、本考案の実施例を図面に基づいて具体的に説明する。
【実施例１】
【００１１】
図１は実施例の段ボール箱の展開図、図２は実施例の切れ目の拡大図、図３は実施例の段ボール箱の斜視図、図４，５は実施例の切り離しを示す説明図である。図中、１は段ボール、２は側板、３は内フラップ、４は外フラップ、５は継ぎしろ、６は切れ目、６ａは第１の切れ目、６ｂは第２の切れ目、６ｃは折曲げ線である。
【００１２】
本実施例の段ボール１は、図１に示すように一枚の長方形状の両面段ボールで側板２と内フラップ３と外フラップ４を形成し、一方の最端の側板２の側辺に継ぎしろ５を形成し、組み立て時に折り曲げられる全ての部分に切れ目６を形成している。
【００１３】
切れ目６は、図２に示すよう第１の切れ目６ａを折曲げ線６ｃに沿って等間隔をおいて複数形成し、第１の切れ目６ａの同じ側の片端部に第２の切れ目６ｂを折曲げ線６ｃ側の角度θが折曲げ線６ｃに対して４５°に傾斜するように且つ第１の切れ目６ａと連通するように形成している。第１の切れ目６ａの長さＬ１は６ｍｍ、第１の切れ目６ａ間の間隔Ｌ２（折曲げ線６ｃの長さ）は７ｍｍ、第２の切れ目６ｂの長さＬ３は５ｍｍに形成し、長さＬ１と間隔Ｌ２が従来のミシン目より大きく形成されている。この段ボール１を組み立てると図３に示す形態となる。
【００１４】
以下、側板２から外フラップ４を切り離す例について説明する。図４（ａ）に示すように、外フラップ４を持って第２の切れ目６ｂを有する方向から切り離そうとすると、最初の折曲げ線６ｃが破断して第１の切れ目６ａに移行し、図４（ｂ）に示すように、次の折曲げ線６ｃが破断して次の第１の切れ目６ａに移行し、次々と折曲げ線６ｃが連続的に破断して外フラップ４が側板２から切り離される。このように、折曲げ線６ｃの長さ（間隔Ｌ２）が従来のミシン目より大きくても、道具を使用することなく折曲げ線６ｃに沿って直線状に切り離すことができ、大きな力も要しない。
【００１５】
一方、第２の切れ目６ｂとは反対する方向から切り離す場合は、図５（ａ）に示すように、最初の折曲げ線６ｃが破断して第１の切れ目６ａに移行すると、その第１の切れ目６ａと連通している斜めの第２の切れ目６ｂに移行し、そのまま切り離そうとすると、図５（ｂ）に示すように、第２の切れ目６ｂの終端が広がって次の折曲げ線６ｃや第１の切れ目６ａが無い領域を破断してしまい、折曲げ線６ｃに沿った切り離しが困難となる。また、無理に切り離そうとすると大きな力を要する。このように、反対側からの切り離しは容易ではない。
【産業上の利用可能性】
【００１６】
本考案の技術は、段ボール箱の他、厚紙等で構成された紙箱全般に応用できる。
【図面の簡単な説明】
【００１７】
【図１】実施例の段ボール箱の展開図である。
【図２】実施例の切れ目の拡大図である。
【図３】実施例の段ボール箱の斜視図である。
【図４】実施例の切り離しを示す説明図である。
【図５】実施例の切り離しを示す説明図である。
【符号の説明】
【００１８】
１  段ボール
２  側板
３  内フラップ
４  外フラップ
５  継ぎしろ
６  切れ目
６ａ  第１の切れ目
６ｂ  第２の切れ目
６ｃ  折曲げ線
【図１】
0003140794.tif 000003
【図２】
0003140794.tif 000004
【図３】
0003140794.tif 000005
【図４】
0003140794.tif 000006
【図５】
0003140794.tif 000007